(57)【要約】【課題】結合するコネクタ間の機械的及び電気的接続双方の完全性を危険にさらすことを抑制する。【解決手段】連結器は、コネクタ本体と、インタフェース連結器と、インタフェース連結器に連結された第１襟状体であって内側保持部材を有する主本体を有し、内側保持部材が第１組の歯部及び第１係合部材を有する、第１襟状体と、第１襟状体を囲む第２襟状体であって、少なくとも１つの第２係合部材を有し、第１及び第２係合部材を係合解除させる係合解除位置と第１及び第２係合部材を係合させる係合位置との間で、軸方向に移動可能である、第２襟状体と、第１襟状体の内側に受けられ、第２組の歯部を有し、第１及び第２組の歯部を係合させるロック位置と前記第１及び第２組の歯部を互いに対して間隔をあけさせる非ロック位置との間で、コネクタ本体に対して軸方向に移動可能である、ラチェットリングと、を有する。【選択図】図１
2014199811.tif 000002
【特許請求の範囲】
【請求項１】
コネクタ本体と、
前記コネクタ本体に対して回転可能であり、その内面に、結合するコネクタに係合するように構成されたインタフェース部分を有するインタフェース連結器と、
前記インタフェース連結器に連結し、前記コネクタ本体を囲む第１襟状体であって、当該第１襟状体が、主本体を有し、前記主本体が、その外面に、第１組の歯部と少なくとも１つの第１係合部材とを有する少なくとも１つの内側保持部材を有する、第１襟状体と、
前記第１襟状体の一部を囲み、少なくとも１つの第２係合部材を有する第２襟状体であって、前記第２係合部材が、前記第１襟状体の前記第１係合部材に係合するように構成され、当該第２襟状体が、前記第１及び第２係合部材を係合解除させる係合解除位置と前記第１及び第２係合部材を係合させる係合位置との間で、前記コネクタ本体に対して軸方向で移動可能である、第２襟状体と、
前記第１襟状体の内側に受けられており、前記コネクタ本体を囲むラチェットリングであって、当該ラチェットリングが、前記第１襟状体の前記第１組の歯部に係合するように構成された第２組の歯部を有し、当該ラチェットリングが、前記第１及び第２組の歯部を係合させるロック位置と前記第１及び第２組の歯部を互いに間隔をあけさせる係合解除させる非ロック位置との間で、前記コネクタ本体に対して軸方向で移動可能である、ラチェットリングと、
を備え、
前記ラチェットリングが前記ロック位置にあると、前記第１及び第２組の歯部が、ラチェットを形成し、前記ラチェットが、前記インタフェース連結器が結合方向で前記コネクタ本体に対して回転することを可能とし、前記インタフェース連結器が前記結合方向とは反対側の解放方向で前記コネクタ本体に対して回転することを防止することを特徴とする連結器。
【請求項２】
前記ラチェットリングに隣接して前記コネクタ本体により支持される付勢部材をさらに備え、
前記付勢部材が、前記ラチェットリングを前記ロック位置に付勢することを特徴とする請求項１に記載の連結器。
【請求項３】
作動リングが、前記第２襟状体内に受けられ、前記内側襟状体を囲み、
前記作動リングが、前記第２襟状体が前記係合解除位置から前記係合位置まで移動すると、前記ラチェットリングを前記ロック位置から前記非ロック位置まで移動させることを特徴とする請求項１に記載の連結器。
【請求項４】
前記作動部材が、少なくとも１つの内側に延在するタブを有し、
前記タブが、前記保持部材の第２部分にある対応するスロット内に存在し、
少なくとも１つの前記タブが、前記スロット内で移動可能であり、前記ラチェットリングを前記ロック位置から前記非ロック位置へ押圧することを特徴とする請求項３に記載の連結器。
【請求項５】
前記内側襟状体の前記主本体が、前記コネクタ本体の外面にある部分に引っ掛けるための少なくとも１つの指部を有することを特徴とする請求項１に記載の連結器。
【請求項６】
前記内側襟状体の前記第１組の歯部が、前記インタフェース連結器の前記インタフェース部分に向けて軸方向を向くことを特徴とする請求項１に記載の連結器。
【請求項７】
前記ラチェットリングが、反対側にある第１及び第２側面を有し、前記第１側面が、当接面であり、前記第２組の歯部が、前記第２側面に配設されており、そのため、前記第２組の歯部が、前記当接面から離間するようにかつ前記内側襟状体の前記第１組の歯部に向けて軸方向を向くことを特徴とする請求項６に記載の連結器。
【請求項８】
前記第１襟状体の少なくとも１つの前記第１係合部材が、バヨネット式斜面であり、
前記バヨネット式斜面が、入口部と前記入口部とは反対側にある端部とを有し、
前記第２襟状体の少なくとも１つの前記第２係合部材が、バヨネット式戻止部であり、
前記バヨネット式戻止部が、前記第２襟状体が前記係合位置にあるときに、前記バヨネット式斜面の前記端部に受けられることを特徴とする請求項１に記載の連結器。
【請求項９】
前記第１襟状体の前記インタフェース部分が、結合するコネクタに係合するために、その内面にネジ山を有することを特徴とする請求項１に記載の連結器。
【請求項１０】
前記インタフェース連結器と前記第１襟状体との間で受けられる保持リングをさらに備え、そのため、前記インタフェース連結器と前記第１襟状体とを連結することを特徴とする請求項１に記載の連結器。
【請求項１１】
前記インタフェース連結器が、その外面に、少なくとも１つのキーを有し、
前記内側襟状体が、少なくとも１つの前記キーを受けるための少なくとも１つのキー溝を有することを特徴とする請求項１に記載の連結器。
【請求項１２】
コネクタ本体と、
前記コネクタ本体に対して回転可能であり、その内面に、結合するコネクタに係合するように構成されたインタフェース部分を有するインタフェース連結器と、
前記インタフェース連結器に連結し、前記コネクタ本体を囲む内側襟状体であって、当該内側襟状体が、主本体を有し、前記主本体が、その外面に、第１組の歯部と少なくとも１つの第１係合部材とを有する少なくとも１つの内側保持部材を有する、内側襟状体と、
前記内側襟状体の一部を囲み、少なくとも１つの第２係合部材を有する外側襟状体であって、前記第２係合部材が、前記内側襟状体の前記第１係合部材に係合するように構成され、当該外側襟状体が、前記第１及び第２係合部材を係合解除させる係合解除位置と前記第１及び第２係合部材を係合させる係合位置との間で、前記コネクタ本体に対して軸方向で移動可能である、外側襟状体と、
前記内側襟状体の内側に受けられており、前記コネクタ本体を囲むラチェットリングであって、当該ラチェットリングが、前記内側襟状体の前記第１組の歯部に係合するように構成された第２組の歯部を有し、当該ラチェットリングが、前記第１及び第２組の歯部を係合させるロック位置と前記第１及び第２組の歯部を互いに間隔をあけさせる係合解除させる非ロック位置との間で、前記コネクタ本体に対して軸方向で移動可能である、ラチェットリングと、
前記外側襟状体内に受けられ、前記内側襟状体を囲む作動リングであって、当該作動リングが、前記外側襟状体が前記係合解除位置から前記係合位置まで移動すると、前記ラチェットリングを前記ロック位置から前記非ロック位置まで移動させる、作動リングと、
前記ラチェットリングに隣接して前記コネクタ本体により支持される付勢部材であって、当該付勢部材が、前記ラチェットリングを前記ロック位置に付勢する、付勢部材と、
を備え、
前記ラチェットリングが前記ロック位置にあると、前記第１及び第２組の歯部が、ラチェットを形成し、前記ラチェットが、前記インタフェース連結器が結合方向で前記コネクタ本体に対して回転することを可能とし、前記インタフェース連結器が前記結合方向とは反対側の解放方向で前記コネクタ本体に対して回転することを防止することを特徴とする連結器。
【請求項１３】
前記内側襟状体が、複数のスロットを有し、
前記作動リングが、複数の内側に延在するタブを有し、
前記タブそれぞれが、複数の前記スロットのうちの１つに受けられることを特徴とする請求項１２に記載の連結器。
【請求項１４】
前記内側襟状体の複数の前記スロットが、前記インタフェース連結器から離間するように前記主本体から延在する複数の腕部により画成されることを特徴とする請求項１３に記載の連結器。
【請求項１５】
前記腕部それぞれが、前記コネクタ本体のフランジに係合するために、その端部に引掛部を有することを特徴とする請求項１４に記載の連結器。
【請求項１６】
前記内側襟状体が、前記インタフェース連結器の外面にある対応するキーを受けるように構成された複数のキー溝を有することを特徴とする請求項１２に記載の連結器。
【請求項１７】
前記ラチェットリングが、反対側にある第１及び第２側面を有し、前記第１側面が、前記付勢部材が当接する当接面であり、前記第２組の歯部が、前記第２側面に配設されており、そのため、前記第２組の歯部が、前記当接面から離間する方を向くことを特徴とする請求項１２に記載の連結器。
【請求項１８】
前記内側襟状体の少なくとも１つの前記第１係合部材が、バヨネット式斜面であり、
前記バヨネット式斜面が、入口部と前記入口部とは反対側にある端部とを有し、
前記外側襟状体の少なくとも１つの前記第２係合部材が、バヨネット式戻止部であり、
前記バヨネット式戻止部が、前記第２襟状体が前記係合位置にあるときに、前記バヨネット式斜面の前記端部に受けられることを特徴とする請求項１２に記載の連結器。
【請求項１９】
前記インタフェース連結器の前記インタフェース部分が、結合するコネクタに係合するために、その内面にネジ山を有することを特徴とする請求項１２に記載の連結器。
【請求項２０】
前記付勢部材が、波形バネであることを特徴とする請求項１２に記載の連結器。
【請求項２１】
前記コネクタ本体が、前記コネクタ本体のインタフェース端部にある基礎リングを有することを特徴とする請求項１２に記載の連結器。
【請求項２２】
前記基礎リングが、取り付けリングを介して、締まり嵌めによって、インタフェースに連結されていることを特徴とする請求項２１に記載の連結器。
【発明の詳細な説明】
【技術分野】
【０００１】
本願は、２０１３年３月１５日出願の米国仮特許出願第６１／７８８，７５３号の優先権を主張する。
【０００２】
本発明は、電気コネクタまたはバックシェルのようなコネクタアクセサリのためのポジティブロック連結器に関する。より具体的には、連結器は、その結合するコネクタと係合して振動または衝撃を受けたときの電気コネクタの逆回転を防止する。
【背景技術】
【０００３】
電気コネクタ組立体は、全体として、結合するプラグ及びソケットコネクタと、バックシェル組立体またはアクセサリと、を有する。しばしば、ネジ山付ナットまたは襟状体を使用してプラグ及びソケットコネクタを結合する。しかし、電気コネクタ組立体またはアクセサリが振動または衝撃を受けると、組立体中の結合するコネクタは、しばしば、弛緩し、連結解除する。弛緩するまたは連結解除することは、通常、結合するナットが逆回転する、すなわち結合またはロック方向とは反対方向に回転するので、発生し、このため、結合するコネクタ間の機械的及び電気的接続双方の完全性を危険にさらす。
【先行技術文献】
【特許文献】
【０００４】
【特許文献１】米国特許第７，９１４，３１１号明細書
【特許文献２】米国特許第７，９０５，７４１号明細書
【特許文献３】米国特許第７，５４４，０８５号明細書
【特許文献４】米国特許第６，２９３，５９５号明細書
【特許文献５】米国特許第６，１２３，５６３号明細書
【特許文献６】米国特許第６，０８６，４００号明細書
【特許文献７】米国特許第５，９５７，７１６号明細書
【特許文献８】米国特許第５，４３５，７６０号明細書
【特許文献９】米国特許第５，３９９，０９６号明細書
【特許文献１０】米国特許第４，２０８，０８２号明細書
【特許文献１１】米国特許第３，９１７，３７３号明細書
【特許文献１２】米国特許第２，７２８，８９５号明細書
【発明の概要】
【発明が解決しようとする課題】
【０００５】
電気コネクタ組立体のためのいくつかの従来の連結器例には、Gallusser等の特許文献１、Wade等の特許文献２、Baldwin等の特許文献３、Marc等の特許文献４、特許文献５、Fowler等の特許文献６、Buckley等の特許文献７、Miklosの特許文献８、Quillet等の特許文献９、Davies等の特許文献１０、Peterson等の特許文献１１、Quackenbush等の特許文献１２が含まれ、これら特許文献それぞれの主題を参考として本明細書に組み込む。
【課題を解決するための手段】
【０００６】
したがって、本発明は、連結器を提供し、この連結器は、コネクタ本体と、コネクタ本体に対して回転可能であり、その内面に、結合するコネクタに係合するように構成されたインタフェース部分を有するインタフェース連結器と、インタフェース連結器に連結し、コネクタ本体を囲む第１襟状体と、を有する。第１襟状体は、その外面に第１組の歯部と少なくとも１つの第１係合部材とを有する少なくとも１つの内側保持部材を有する主本体を有する。連結器は、同様に、第１襟状体の一部を囲み、少なくとも１つの第２係合部材を有する第２襟状体を有し、第２係合部材は、第１襟状体の第１係合部材に係合するように構成されている。第２襟状体は、第１及び第２係合部材を係合解除させる係合解除位置と第１及び第２係合部材を係合させる係合位置との間で、コネクタ本体に対して軸方向で移動可能である。ラチェットリングは、第１襟状体の内側に受けられており、コネクタ本体を囲む。ラチェットリングは、第１襟状体の第１組の歯部に係合するように構成された第２組の歯部を有する。ラチェットリングは、第１及び第２組の歯部を係合させるロック位置と第１及び第２組の歯部を互いに間隔をあけさせる係合解除させる非ロック位置との間で、コネクタ本体に対して軸方向で移動可能である。ラチェットリングがロック位置にあると、第１及び第２組の歯部は、ラチェットを形成し、ラチェットは、インタフェース連結器が結合方向でコネクタ本体に対して回転することを可能とし、インタフェース連結器が結合方向とは反対側の解放方向でコネクタ本体に対して回転することを防止する。
【０００７】
本発明は、同様に、連結器を提供しており、この連結器は、コネクタ本体と、コネクタ本体に対して回転可能であり、その内面に、結合するコネクタに係合するように構成されたインタフェース部分を有するインタフェース連結器と、インタフェース連結器に連結し、コネクタ本体を囲む内側襟状体と、を有する。内側襟状体は、少なくとも１つの内側保持部材を有する主本体を有し、内側保持部材が、その外面に第１組の歯部と少なくとも１つの第１係合部材とを有する。また、連結器は、内側襟状体の一部を囲み、少なくとも１つの第２係合部材を有する外側襟状体を有し、第２係合部材は、内側襟状体の第１係合部材に係合するように構成されている。外側襟状体は、第１及び第２係合部材を係合解除させる係合解除位置と第１及び第２係合部材を係合させる係合位置との間で、コネクタ本体に対して軸方向で移動可能である。ラチェットリングは、内側襟状体の内側に受けられており、コネクタ本体を囲む。ラチェットリングは、内側襟状体の第１組の歯部に係合するように構成された第２組の歯部を有する。ラチェットリングは、第１及び第２組の歯部を係合させるロック位置と第１及び第２組の歯部を互いに間隔をあけさせる係合解除させる非ロック位置との間で、コネクタ本体に対して軸方向で移動可能である。作動リングは、外側襟状体内に受けられ、内側襟状体を囲む。作動リングは、外側襟状体が係合解除位置から係合位置まで移動すると、ラチェットリングをロック位置から非ロック位置まで移動させる。付勢部材は、ラチェットリングに隣接してコネクタ本体により支持される。付勢部材は、ラチェットリングをロック位置に付勢する。ラチェットリングがロック位置にあると、第１及び第２組の歯部は、ラチェットを形成し、ラチェットは、インタフェース連結器が結合方向でコネクタ本体に対して回転することを可能とし、インタフェース連結器が結合方向とは反対側の解放方向でコネクタ本体に対して回転することを防止する。
【０００８】
本発明の他の目的、利点及び顕著な特徴は、以下の詳細な説明から明らかになり、この詳細な説明は、添付の図面と併用し、本発明の好ましい実施形態を開示する。
【０００９】
本発明及びそのさまざまな付随する利点をより完全に理解することは、添付の図面に関連して考慮すると、以下の詳細な説明を参照することによってこれらをより理解するにしたがって、すぐに得られる。
【図面の簡単な説明】
【００１０】
【図１】本発明の一実施形態にかかる連結器を示す分解斜視図である。
【図２Ａ】図１に示す連結器を示す断面図であって、ロック位置にあり、バックシェルコネクタ本体に組み付けられた連結器を示す、断面図である。
【図２Ｂ】図１に示す連結器を示す断面図であって、ロック位置にあり、バックシェルコネクタ本体に組み付けられた連結器を示す、断面図である。
【図３】図１に示す連結器を示す断面斜視図であって、ロック位置にある連結器を示す、断面斜視図である。
【図４】連結器が非ロック位置にあることを除いて、図３と同様の連結器を示す断面斜視図である。
【発明を実施するための形態】
【００１１】
図１、図２Ａ、図２Ｂ、図３及び図４を参照すると、本発明は、バックシェルのような電気コネクタまたはコネクタアクセサリのためのポジティブロック連結器１００に関する。連結器１００は、好ましくは、一方向ラチェット係合を提供してポジティブロックを提供し、そのため、組立体のコネクタ部品は、手動でのみ係合解除される。連結器１００は、好ましくは、コネクタ本体１０２に配設されており、このコネクタ本体は、コネクタ、バックシェル、アクセサリなどの本体またはシェルであってもよい。連結器１００は、有利には、この本体へ前方から入れられるように設計されている。本発明の例示的な実施形態における連結器１００は、全体として、インタフェース連結器１０４、内側襟状体１０６、外側リング１０８、ラチェットリング１１０、作動リング１１２及び付勢部材１１４を有する。
【００１２】
インタフェース連結器１０４は、結合するコネクタ部品に結合するために、バックシェルコネクタ本体１０２のインタフェース端部１０３に対して回転する。バックシェルコネクタ本体１０２は、例えば締まり嵌めによってまたは公知の取付方法によって取付リング１９４を介してそのインタフェース端部１０３に固定される基礎リング１９２を有する。インタフェースリング１０４は、バックシェルコネクタ本体１０２に対して軸方向で固定されている。インタフェース連結器１０４のインタフェース部分１２０は、結合するコネクタ部品の対応するネジ山と係合するために、その内面にネジ山１２２を有する。すなわち、インタフェース連結器１０４は、結合方向（例えばバックシェルコネクタ本体１０２をそのインタフェース端部１０３から見たときに反時計回り）で回転し、結合するコネクタ部品に螺合する。インタフェース部分１２０の反対側にあるインタフェース連結器１０４の部分１２４は、その外面に１以上のキー１２６（図１）を有する。１以上のキー１２６は、内側襟状体１０６の内面にある対応するキー溝１２８（図１）に係合し、そのため、インタフェース連結器１０４の部分１２４は、内側襟状体１０６の端部内に受けられる。キー１２６及びキー溝１２８の係合は、インタフェース連結器１０４と内側連結器１０６とを組み合わせ、そのため、これら部品は、共に回転する。
【００１３】
図１において最もよくわかるように、インタフェース連結器１０４は、外方に延在する環状フランジ１３０を有し、この環状フランジは、インタフェース部分１２０と部分１２４との間に位置する。フランジ１３０は、図２Ａ及び図２Ｂに示すように、内側襟状体１０６の端部に当接する停止部として機能する。環状溝部１３２は、キー１２６に隣接しており、この環状溝部は、インタフェース連結器１０４と内側襟状体１０６とを連結するための保持リング１３４を受けるように構成されている。
【００１４】
内側襟状体１０６は、コネクタ本体１０２を囲んでおり、そのため、内側襟状体１０６は、コネクタ本体１０２に保持され、かつ、コネクタ本体に対に対して軸方向で固定される。内側襟状体１０６は、インタフェース連結器１０４の端部分を受ける主本体１４０を有する。主本体１４０は、１以上の係合部材１４２を有する。係合部材１４２は、例えば、バヨネット式斜面であり、図１に示すように、内側襟状体１０６の外面に形成されている。各バヨネット式斜面は、入口部１４４と、入口部１４４の反対側にある端部１４６と、を有する。
【００１５】
１以上の間隔をあけた腕部１５０は、インタフェース連結器１０４から離間するように主本体１４０から延在する。間隔をあけた腕部１５０は、好ましくは、リング構造に配置されており、好ましくは、弾性を有してコネクタ本体１０２との係合を容易にする。腕部１５０それぞれは、その先端部から延在する引掛端部１５２を有し、この先端部は、図２Ａに示すように、コネクタ本体１０２の肩部もしくはフランジに係合するまたは肩部もしくはフランジに引っ掛かるように構成されている。腕部は、幅が可変であるが、好ましくは同一長さである。好ましい実施形態において、８つの腕部を設ける。しかしながら、より多いまたはより少ない腕部を設け、シェルサイズのコネクタ本体を収容してもよい。
【００１６】
図３及び図４を見ると、内側襟状体の主本体１４０の内側には、１以上の保持セグメント１６０がある。保持セグメント１６０は、好ましくは、主本体１４０の内面を囲むように間隔をあけた関係で配置されている。保持セグメント１６０それぞれは、軸方向でインタフェース連結器１０４を向く複数の歯部１６２を有する。歯部１６２は、ラチェットリング１１０に係合し、内側襟状体１０６にラチェット機能を提供するように構成されている。１以上の腕部１５０は、保持セグメント１６０から延在する。好ましい実施形態において、２つの腕部１５０は、保持セグメント１６０それぞれの両端部分から延在する。保持セグメント１６０間には、スロット１６４があり、このスロットは、作動リング１１２に係合するように構成されている。
【００１７】
外側襟状体１０８は、内側襟状体１０６の大体の部分を囲んでおり、そのため、内側襟状体１０６の腕部１５０は、外側襟状体１０８の端部を超えて延在する。外側襟状体１０８は、内側襟状体１０６及びバックシェルコネクタ本体１０２双方に対して回転するように構成されている。外側襟状体１０６は、図２Ａ、図３及び図４に示すように、外側襟状体１０６の内面に１以上の係合部材１８０を有する。係合部材１８０は、好ましくは、内側襟状体１０６の係合部材１４２に対応している。例えば、係合部材１８０は、内側に延在する戻止部であり、内側襟状体１０６の外面にある斜面１４２それぞれに係合する。戻止部１８０は、外側襟状体１０８内に中央に位置する。
【００１８】
外側襟状体１０８は、内側及び外側襟状体１０６及び１０８の係合部材１４２及び１８０が完全には係合していない係合解除位置と、内側及び外側襟状体１０６及び１０８の係合部材１４２及び１８０が互いに完全に係合している係合位置と、の間で、コネクタ本体１０２に対して軸方向に移動するように構成されている。すなわち、係合解除位置において、外側襟状体１０８の戻止部１８０は、内側襟状体１０６の斜面１４２それぞれの入口部１４４に受けられる。外側襟状体１０８が回転して戻止部１８０が斜面１４２それぞれに沿って移動するにしたがって、外側襟状体１０８は、戻止部１８０が斜面１４２それぞれの端部１４６で停止するまで、インタフェース連結器１０４に向けて軸方向に移動する。外側襟状体１０８の戻止部１８０が内側襟状体１０６にある斜面１４２それぞれの端部１４６に受けられると、外側襟状体１０８は、内側襟状体１０６に完全に係合し、さらに軸方向に移動することが防止される。外側襟状体１０８は、外側把持面１８２を有し、襟状体１０８の把持及び回転を容易にする。
【００１９】
ラチェットリング１１０は、図３及び図４に示すように、内側襟状体１０６の主本体１４０の内側においてコネクタ本体１０２を囲んで配設されている。ラチェットリング１１０は、第１及び第２側面１７０及び１７２を有するリング本体を有する。第１側面１７０は、付勢部材１１４と当接する当接面を形成する。第２側面１７２は、複数の歯部を有し、これら歯部は、図３で最もよくわかるように、当接面から離間する軸方向を向き、セグメント１６０の歯部１７２に係合するように構成されている。ラチェットリング１１０の歯部１７２と内側襟状体１０６の歯部１６２とは、係合すると、一方向ラチェットを形成するように設計されている。ラチェットリング１１０は、バックシェルコネクタ本体１０２に対してロック位置及び非ロック位置間で軸方向に移動可能である。ロック位置（図３）において、ラチェットリング１１０の歯部１７４は、内側襟状体１０６の歯部１６２と係合する。付勢部材１１４は、ラチェットリング１１０の第１側面１７０の当接面を押圧し、ラチェット部材１１０をそのロック位置へ付勢する。付勢部材１１４は、例えば１以上の波形バネなどである。非ロック位置において、ラチェットリング１１０は、図４に示すように、作動リング１１２を介して、付勢部材１１４の付勢に抗して、インタフェース連結器１０４に向けて軸方向に移動し、歯部１７２を歯部１６２から係合解除し、離間させる。
【００２０】
作動リング１１２は、図２Ｂに示すように、外側襟状体１０６の内側で、好ましくはその内側溝部１８４内に支持されており、そのため、作動リング１１２は、内側襟状体１０６を囲む。複数の内側タブ１９０は、作動リング１１２のリング本体から内側に延在する。タブ１９０は、内側襟状体１０６の保持セグメント１６０間にあるスロット１６４内に嵌合するようにサイズ付けされかつ環状に間隔をあけており、そのため、タブ１５０は、スロット１６４それぞれ内で軸方向に移動する。
【００２１】
本発明の連結器１００を用いてコネクタ部品を結合するコネクタ部品に結合するために、外側襟状体１０８は、内側襟状体１０６に対してその係合解除位置に配設されており、この係合解除位置において、戻止部１８０は、内側襟状体１０６の表面にあるバヨネット式斜面１４２の入口部１４４にある。ラチェットリング１１０は、そのロック位置にあり、このロック位置において、その歯部１７２は、一方向ラチェット係合で内側襟状体の歯部１６２と係合される。これにより、保持リング１３４によって内側襟状体１０６に係合されるインタフェース連結器１０４は、結合方向でコネクタ本体１０２に対して回転されることが可能となり、そのため、ネジ山１２２は、結合するコネクタの対応するネジ山に係合する。インタフェース連結器１０４は、締結するまで、その結合方向で回転される。内側襟状体１０８及びラチェットリング１１０の歯部１６２及び１７２の係合は、インタフェース連結器１０４が結合方向で回転することを可能としつつ、同様に、結合方向とは反対側の解放方向で回転することを防止する。これにより、振動のような状況の下であっても、結合したコネクタ部品間のしっかりとした接続が形成され、部品が弛緩することを防止する。
【００２２】
連結器１００は、手動でロック解除され、必要に応じて、インタフェース連結器１０４及び内側襟状体１０６がバックシェルコネクタ本体１０２に対して解放方向で回転することを可能とする。手動でロック解除することにより、内側襟状体１０６のネジ山１２２を結合するコネクタから連結解除することを可能とする。連結器１００をロック解除するため、外側襟状体１０８は、その係合解除位置からその係合位置まで、内側襟状体１０８に対して移動される。特に、外側襟状体１０８は、内側襟状体１０６及びバックシェルコネクタ本体１０２に対して回転され、そのため、その戻止部１８０は、バヨネット式チャネル１４２に沿って進み、このため、戻止部がチャネル１４２の端部１４６に存在するまで、外側襟状体１０８をインタフェース連結器１０４に向けて軸方向に引っ張って移動させる。外側襟状体１０８が内側襟状体１０６に向けてその係合位置へ軸方向に移動するにしたがって、外側襟状体１０８の内側に存在する作動リング１１２は、ラチェットリング１１０に係合し、ラチェットリングを押圧し、ラチェットリング１１０の歯部１７２を内側襟状体１０６の歯部１６２から離間するように押して間隔をあけさせる。特に、作動リング１１２のタブ１９０は、内側襟状体１０６のスロット１６４それぞれ内で移動し、ラチェットリング１１０の歯部１７２に当接する。これにより、ラチェットリング１１０は、コネクタ本体１０２に対してインタフェース連結器１０４に向けてそのロック解除位置へ軸方向で移動し、インタフェース連結器１０４及び内側襟状体１０６は、解放方向で回転され、ネジ山１２２を結合するコネクタ部品から係合解除させる。
【００２３】
特有の実施形態を選択して本発明を説明しているが、当業者には、添付の特許請求の範囲で規定されたような発明の範囲から逸脱することなく、本明細書においてさまざまな変更及び改変をなしてもよいことを理解する。例えば、任意のタイプの公知の係合を内側襟状体１０６のインタフェース部分１２０に用いてもよく、ネジ山に限定されない。任意のタイプの係合部材１４２及び１８０を使用して内側及び外側襟状体１０６及び１０８を係合させてもよく、バヨネット式係合に限定されない。同様に、バヨネット式係合の対応する戻止部及びチャネルは、内側及び外側襟状体のいずれかに位置してもよい。また、付勢部材は、波形バネに限定されず、圧縮バネのような任意のタイプの付勢機構であってもよい。
【符号の説明】
【００２４】
１００  ポジティブロック連結器，連結器、１０２  バックシェルコネクタ本体，コネクタ本体、１０３  インタフェース端部、１０４  インタフェース連結器，インタフェースリング、１０６  内側襟状体，内側連結器、１０８  外側襟状体，襟状体，外側リング、１１０  ラチェットリング，ラチェット部材、１１２  作動リング、１１４  付勢部材、１２０  インタフェース部分、１２２  ネジ山、１２４  部分、１２６  キー、１２８  キー溝、１３０  環状フランジ，フランジ、１３２  環状溝部、１３４  保持リング、１４０  主本体、１４２  係合部材，バヨネット式チャネル，チャネル，バヨネット式斜面，斜面、１４４  入口部、１４６  端部、１５０  腕部，タブ、１５２  引掛端部、１６０  保持セグメント，セグメント、１６２  歯部、１６４  スロット、１７０  第１側面、１７２  第２側面，歯部、１７４  歯部、１８０  係合部材，戻止部、１８２  外側把持面、１８４  内側溝部、１９０  内側タブ，タブ、１９２  基礎リング、１９４  取付リング
【図１】
2014199811.tif 000003
【図２Ａ】
2014199811.tif 000004
【図２Ｂ】
2014199811.tif 000005
【図３】
2014199811.tif 000006
【図４】
2014199811.tif 000007
【外国語明細書】
2014199811000001.pdf